(57)【特許請求の範囲】
【請求項１】
電源スイッチ、カメラ、設置処理部、無線通信部、記憶部、記憶部に記憶された管理時刻データを備えかつＧＰＳ測位機能を利用しない小型基地局であって、前記小型基地局が設置位置に運ばれ、前記電源スイッチがオンに操作されるに伴い、前記カメラが前記小型基地局の設置位置の周囲の画像を撮影し、前記設置処理部が前記電源スイッチのオンされたときに前記カメラで撮影した画像を設置画像データとして前記記憶部に記憶した状態において、前記管理時刻データの時刻になると、前記カメラが前記小型基地局の設置位置の周囲の画像を撮影し、前記設置処理部が前記管理時刻データの時刻になったときに前記カメラで撮影した画像を管理画像データとして前記記憶部に記憶し、前記設置処理部が前記設置画像データと前記管理画像データとを比較し、前記設置画像データと前記管理画像データとが一致しないときは前記設置処理部が前記無線通信部を通信不能にすることを特徴とする小型基地局。
【請求項２】
電源スイッチ、カメラ、加速度センサ、設置処理部、無線通信部、記憶部を備えかつＧＰＳ測位機能を利用しない小型基地局であって、前記小型基地局が設置位置に運ばれ、前記電源スイッチがオンに操作されるのに伴い、前記カメラが前記小型基地局の設置位置の周囲の画像を撮影し、前記設置処理部が前記電源スイッチのオンされたときに前記カメラで撮影した画像を設置画像データとして前記記憶部に記憶した状態において、前記加速度センサが加速度を検出すると、前記カメラが前記小型基地局の設置位置の周囲の画像を撮影し、前記設置処理部は前記加速度センサの加速度を検出したときに前記カメラで撮影した画像を管理画像データとして前記記憶部に記憶し、前記設置処理部が前記設置画像データと前記管理画像データとを比較し、前記設置画像データと前記管理画像データとが一致しないときは前記設置処理部が前記無線通信部を通信不能にすることを特徴とする小型基地局。
【請求項３】
電源スイッチ、カメラ、加速度センサ、設置処理部、無線通信部、記憶部を備えかつＧＰＳ測位機能を利用しない小型基地局であって、前記小型基地局が設置位置に運ばれ、前記電源スイッチがオンに操作されるのに伴い、前記カメラが前記小型基地局の設置位置の周囲の画像を撮影し、前記設置処理部が前記電源スイッチのオンされたときに前記カメラで撮影した画像を設置画像データとして前記記憶部に記憶した状態において、前記加速度センサが加速度を検出して前記設置処理部に出力し、この設置処理部が前記検出された加速度を前記記憶部に設けられた判定値と比較し、加速度が判定値以上であると前記設置処理部が前記カメラを制御し、このカメラが前記小型基地局の設置位置の周囲の画像を撮影し、前記設置処理部は前記加速度センサの加速度を検出したときに前記カメラで撮影した画像を管理画像データとして前記記憶部に記憶し、前記設置処理部が前記設置画像データと前記管理画像データとを比較し、前記設置画像データと前記管理画像データとが一致しないときは前記設置処理部が前記無線通信部を通信不能にすることを特徴とする小型基地局。
【請求項４】
前記記憶部には前記設置処理部が前記設置画像データと前記管理画像データとを一致すると判断するときに前記管理画像データと前記設置画像データとが完全一致だけではなく少しずれていても一致できると判断できるようにするしきい値が設けられたことを特徴とする請求項１から３の１つに記載の小型基地局。
【発明の詳細な説明】
【技術分野】
【０００１】
本発明は、小型基地局自身が設置位置を監視する、小型基地局に関する。
【背景技術】
【０００２】
ＧＰＳ測位機能を利用して小型基地局の設置位置が変更されていないかを監視することは一般的に考えられる。しかしながら、小型基地局が屋内等のＧＰＳ測位情報を受信できない場所に設置された場合は、設置位置を監視できない。
【０００３】
図７を用いて、特許文献１で開示された小型基地局の設置位置管理システムについて説明する。同図において、人が小型基地局２００をＧＰＳ衛星５００からの電波の受信不能な場所に設置する場合のセットアップ時に、小型基地局２００の設置位置を取得するための携帯端末１００を基地局管理装置３００に登録した後、携帯端末１００がＧＰＳ衛星５００からの電波の受信可能な場所に運ばれ、ＧＰＳ測位部１０１がＧＰＳ衛星５００からの電波を受信して現在地の緯度及び経度等の位置を計算し、無線通信部１０２が上記ＧＰＳ測位部１０１で計算した位置を小型基地局２００の設置位置として小型基地局２００及び通信網４００を経由して基地局管理装置３００に送信する。その後、携帯端末１００がＧＰＳ測位部１０１で測位した位置を小型基地局２００の設置位置として基地局管理装置３００に定期的に送信し、基地局管理装置３００が小型基地局２００の設置位置に変更がないかを監視するようになっている(特許文献１の段落００２０乃至００２５，００３４参照)。
【０００４】
しかしながら、特許文献１で開示された小型基地局の設置位置管理システムは、携帯端末１００がＧＰＳ衛星５００からの電波を受信できないときは、小型基地局２００の設置位置に変更がないかを監視できないという問題があった。
【先行技術文献】
【特許文献】
【０００５】
【特許文献１】特開２００９−２３２２８６号公報
【発明の概要】
【発明が解決しようとする課題】
【０００６】
本発明は、上記背景技術に鑑みてなされたものであり、カメラ又は距離センサ又は加速度センサを利用し、小型基地局自身が設置位置を監視する、小型基地局の提供を目的とする。
【課題を解決するための手段】
【０００７】
本発明は、電源スイッチ、カメラ、設置処理部、無線通信部、有線通信部、記憶部、記憶部に記憶された管理時刻データを備えた小型基地局であって、前記小型基地局が設置位置に運ばれ、前記電源スイッチがオンに操作されると、前記カメラが前記小型基地局の設置位置の周囲の画像を撮影し、設置処理部が前記電源スイッチのオンされたときに前記カメラで撮影した画像を設置画像データとして前記記憶部に記憶した状態において、前記管理時刻データの時刻になると、前記カメラが前記小型基地局の設置位置の周囲の画像を撮影し、設置処理部が前記管理時刻データの時刻になったとき前記カメラで撮影した画像を管理画像データとして前記記憶部に記憶し、設置処理部が前記設置画像データと管理画像データとを比較し、前記設置画像データと管理画像データとが一致するときは前記設置処理部が前記無線通信部及び前記有線通信部を通信可能とし、前記設置画像データと管理画像データとが不一致のときは設置処理部が前記無線通信部を通信不能にすることを特徴とするか、又は、電源スイッチ、距離センサ、設置処理部、無線通信部、有線通信部、記憶部、記憶部に記憶された管理時刻データを備えた小型基地局であって、前記小型基地局が設置位置に運ばれ、前記電源スイッチがオンに操作されると、前記距離センサが前記小型基地局と前記小型基地局の設置位置の周囲の構造物までの距離を検出し、設置処理部が前記電源スイッチのオンされたときに前記距離センサで検出した画像を設置距離データとして前記記憶部に記憶した状態において、前記管理時刻データの時刻になると、前記カメラが前記小型基地局と前記小型基地局の設置位置の周囲の構造物までの距離を検出し、設置処理部が前記管理時刻データの時刻になったとき前記カメラで検出した距離を管理距離データとして前記記憶部に記憶し、設置処理部が前記設置距離データと管理距離データとを比較し、前記設置距離データと管理距離データとが一致するときは前記設置処理部が前記無線通信部及び前記有線通信部を通信可能とし、前記設置距離データと管理距離データとが不一致のときは設置処理部が前記無線通信部を通信不能にすることを特徴とするか、又は、電源スイッチ、カメラ、加速度センサ、設置処理部、無線通信部、有線通信部、記憶部を備えた小型基地局であって、前記小型基地局が設置位置に運ばれ、前記電源スイッチがオンに操作されると、前記カメラが前記小型基地局の設置位置の周囲の画像を撮影し、設置処理部が前記電源スイッチのオンされたときに前記カメラで撮影した画像を設置画像データとして前記記憶部に記憶した状態において、前記加速度センサが加速度を検出すると、前記カメラが前記小型基地局の設置位置の周囲の画像を撮影し、設置処理部は前記加速度センサが加速度を検出したときに前記カメラで撮影した画像を管理画像データとして前記記憶部に記憶し、設置処理部が前記設置画像データと管理画像データとを比較し、前記設置画像データと管理画像データとが一致するときは前記設置処理部が前記無線通信部及び前記有線通信部を通信可能とし、前記設置画像データと管理画像データとが不一致のときは設置処理部が前記無線通信部を通信不能にすることを特徴とする。
【発明の効果】
【０００８】
本発明によれば、電源スイッチのオンのときにカメラで撮影した設置画像データと管理時刻データの時刻のときにカメラで撮影した管理画像データとを比較して、設置画像データと管理画像データとが不一致のときは無線通信部を通信不能にするので、ＧＰＳ測位機能を利用することなく、小型基地局の設置位置の設置と監視とができる。又、本発明によれば、電源スイッチのオンのときに距離センサで検出した小型基地局と小型基地局の周囲の構造物までの設置距離データと管理時刻データの時刻のときに距離センサで検出した小型基地局と小型基地局の周囲の構造物までの管理距離データとを比較して、設置距離データと管理距離データとが不一致のときは無線通信部を通信不能にするので、ＧＰＳ測位機能を利用することなく、小型基地局の設置位置の設置と監視とができる。又、本発明によれば、電源スイッチのオンのときにカメラで撮影した設置画像データと加速度センサの加速度を検出したときにカメラで撮影した管理画像データとが不一致のときは無線通信部を通信不能にするので、ＧＰＳ測位機能を利用することなく、小型基地局の設置位置の設置と監視とができる。本発明において、記憶部には設置処理部が設置画像データと管理画像データとを一致すると判断するときに管理画像データと設置画像データとが完全一致だけではなく少しずれていても一致できると判断できるようにするしきい値が設けられれば、設置画像データと管理画像データとの一致に幅を持たせることができる。又、本発明において、記憶部には設置処理部が設置距離データと管理距離データとを一致すると判断するときに管理距離データと設置距離データとが完全一致だけではなく少しずれていても一致できると判断できるようにするしきい値が設けられれば、設置距離データと管理距離データとの一致に幅を持たせることができる。又、本発明において、記憶部には設置処理部が小型基地局の移動・不動を判定する判定値が設けられれば、小型基地局の移動の判定に幅を持たせることができる。
【図面の簡単な説明】
【０００９】
【図１】発明を実施するための形態１に係る小型基地局の構成図。
【図２】発明を実施するための形態１に係る小型基地局の設置位置に対する設定と監視との認処理を示したフローチャート。
【図３】発明を実施するための形態２に係る小型基地局の構成図。
【図４】発明を実施するための形態２に係る小型基地局の設置位置に対する設定と監視との処理を示したフローチャート。
【図５】発明を実施するための形態３に係る小型基地局の構成図。
【図６】発明を実施するための形態３に係る小型基地局の設置位置に対する設定と監視との処理を示したフローチャート。
【図７】従来の小型基地局の構成図。
【発明を実施するための形態】
【００１０】
図１乃至６では、同一の機能を有する部分には同一の符号を付す。
【００１１】
図１を用いて、発明の実施の形態１に係る小型基地局１について説明する。同図において、小型基地局１は、フェムトセルや無線ＬＡＮスポット等の電波出力の小さな基地局であり、電源スイッチ２、カメラ３、制御部４，通信処理部５，設置処理部６，無線通信部７、有線通信部８、記憶部９、設置画像データ記憶部１０，管理画像データ記憶部１１，しきい値記憶部１３、電源部１４を備える。
【００１２】
電源スイッチ２は、人からオン・オフ操作を受ける構造のスイッチであり、オン操作されることで、電力を電源部１４からカメラ３、制御部４、無線通信部７、有線通信部８等の電気部品に供給し、オフ操作されることで、上記電源部１４から電気部品への電力の供給を停止する。
【００１３】
カメラ３は、小型基地局１の周囲が撮影できるように小型基地局１に設置され、設置処理部６からの制御で小型基地局１の周囲を撮影し、撮影した画像データを記憶部９に設けられた設置画像データ記憶部１０又は管理画像データ記憶部１１に記憶する。カメラ３は複数個でも良い。
【００１４】
制御部４が電源部１４から電力の供給を受けることで、制御部４に設けられた通信処理部５が無線通信部７及び有線通信部８を制御し、制御部４に設けられた設置処理部６がカメラ３を制御する。
【００１５】
無線通信部７は通信処理部５からの制御により、小型基地局１と図示のされていない携帯端末との通信可能エリアを小型基地局１の周囲に構築し、上記構築された通信可能エリアに在圏した携帯端末に通信可能に接続される。有線通信部８は、通信処理部５からの制御により、小型基地局１と図示のされていないブロードバンド回線等の回線でインターネットに通信可能に接続される。
【００１６】
記憶部９に設けられた設置画像データ記憶部１０には、電源スイッチ２がオン操作された時に、カメラ３で撮影した画像が設置画像データとして記憶される。記憶部９に設けられた管理画像データ記憶部１１には、設置位置を監視する処理時刻になった時に、カメラ３で撮影した画像が管理画像データとして記憶される。
【００１７】
記憶部９に設けられた管理時刻データ記憶部１２には、管理時刻データが小型基地局１の利用者又は小型基地局１の製造者により小型基地局１の設定位置を管理する時刻又は周期として予め記憶されている。管理時刻データは複数記憶されてもよい。記憶部９に設けられたしきい値記憶部１３には、しきい値が小型基地局１の利用者又は小型基地局１の製造者により予め記憶されている。
【００１８】
しきい値は、設置処理部６が小型基地局１の設置位置を監視する処理において、設置画像データと管理画像データとを比較し、設置画像データと管理画像データとが一致するかを判断する時に、管理画像データと設置画像データとが完全に一致する場合だけではなく、画像の一部または画像全体がある程度ずれていても一致すると判断できるように、設置画像データと管理画像データとの一致の判断に幅を持たせるために設けられたものである。例えば、設置画像データとして机の天板の端部が真上から撮影された画像であるのに対し、管理画像データとして机の天板の端部が斜め上から撮影された画像である場合でも、設置画像データと管理画像データとが一致すると判断できるようにするために定められた値がしきい値である。
【００１９】
発明の実施の形態１に係る小型基地局１によれば、電源スイッチ２がオフになった状態において、小型基地局１が設置位置に運ばれて設置され、電源スイッチ２が小型基地局１の利用者でオンにされ、電源部１４の電力がカメラ３，制御部４、無線通信部７、有線通信部８、等の電気部品に供給されると、設置処理部６による小型基地局１の設置位置の設定と監視とが始まる。設置位置の設定においては、設置処理部６がカメラ３で撮影された小型基地局１の周囲の画像をカメラ３の図示のされない撮像素子部から抽出して設置画像データ記憶部１０に設置画像データとして記憶する。
【００２０】
その後、設置処理部６が管理時刻データ記憶部１２を管理し、現在時刻が管理時刻データ記憶部１２に記憶された管理時刻データと一致すると、設置処理部６がカメラ３を撮影状態に起動し、カメラ３が小型基地局１の周囲を撮影し、設置処理部６がカメラ３の図示のされない撮像素子部から上記撮影した画像を管理画像データ記憶部１１に管理画像データとして記憶する。
【００２１】
引き続き、設置処理部６が設置画像データ記憶部１０から設置画像データを抽出しかつ管理画像データ記憶部１１から管理画像データを抽出しかつしきい値記憶部１３からしきい値を抽出して設置画像データと管理画像データとを比較する。そして、設置画像データと管理画像データとの差がしきい値以下であれば、設置処理部６が、管理画像データと設置画像データとが一致するとして小型基地局１の設置位置が変更されていないと判定し、設置画像データと管理画像データとの差がしきい値を超えていれば、設置画像データと管理画像データとが一致しないとして小型基地局１の設置位置が変更されていると判定する。
【００２２】
そして、設置処理部６が設置画像データと管理画像データとが一致すると判定した場合は、前記現在時刻による設置位置の管理処理を終了し、次の管理処理に対する管理時刻データの管理を継続する。又、設置処理部６が設置画像データと管理画像データとが一致しないと判定した場合は、設置処理部６は小型基地局１の設置位置が設置画像データ記憶部１０の設置位置とは別の位置になったことを示す信号を通信処理部５に出力し、通信処理部５が無線通信部７を通信不能に制御する。これにより、小型基地局１自身が設置位置を監視することができ、小型基地局１の設置位置に変更があると、無線通信部７は小型基地局１と携帯端末との無線通信を不能にすることができる。
【００２３】
尚、発明の実施の形態１に係る小型基地局１では、電源スイッチ２がオンからオフになると、設置処理部６が設置画像データ記憶部１０から設置画像データを消去するとともに管理画像データ記憶部１１から管理画像データを消去する。
【００２４】
図２を用いて、設置処理部６での小型基地局１の設置位置に対する設定と監視との処理について説明する。同図において、ステップ２０１で電源スイッチ２がオンされたかを判断する。ステップ２０１で電源スイッチ２がオンされていなければＮＯと判断し電源スイッチ２がオンされるまでステップ２０１に戻る。ステップ２０１で電源スイッチ２がオンされるとＹＥＳと判断しステップ２０２に進む。ステップ２０２では、無線通信部７及び有線通信部８が通信可能になり、カメラ３が小型基地局１の設置された周囲を撮影し、その画像が設置画像データとして設置画像データ記憶部１０に記憶されてステップ２０３に進む。
【００２５】
ステップ２０３では、図示のされない時刻部で計数された現在時刻が管理時刻データ記憶部１２に記憶された管理時刻データの中の１つの時刻と同じになったか、すなわちカメラ３での撮影を行う処理時刻になったかを判断する。ステップ２０３で処理時刻でなければＮＯと判断しステップ２０３に戻る。ステップ２０３で処理時刻であるとＹＥＳと判断し、ステップ２０４でカメラ３が小型基地局１の設置された周囲を撮影し、その画像が管理画像データとして管理画像データ記憶部１１に記憶される。
【００２６】
そして、ステップ２０５においてステップ２０２で撮影した電源スイッチ２のオンされたときの設置画像データとステップ２０４で撮影した管理時刻データの時刻のときの管理画像データとを比較する。
【００２７】
その結果、ステップ２０５で設置画像データと管理画像データとの差がしきい値以下であれば設置処理部６が設置画像データと管理画像データとが一致していると判断しＹＥＳとなりステップ２０６に進む。ステップ２０６では無線通信部７が通信可能に維持されて処理を終了する。
【００２８】
また、ステップ２０５で設置画像データと管理画像データとの差がしきい値を超えているときは、設置処理部６が設置画像データと管理画像データが一致していないと判断しＮＯとなってステップ２０７に進む。ステップ２０７では設置画像データと管理画像データが一致していないので、小型基地局１が電源スイッチ２のオンされたときと管理時刻データの中の１つの時刻のときとで設置位置が違うことになるので、無線通信部７が通信不可能にされて処理を終了する。
【００２９】
つまり、無線通信部７が通信不可能になることにより、小型基地局１が図示のされていない携帯端末との通信可能エリアを小型基地局１の周囲に構築せず、上記携帯端末と無線通信部７とが互いに通信不可能になる。又、有線通信部８は通信可能になっているので、有線通信部８が接続されたインターネットの側から制御部４にリセット信号を送信することにより、ステップ２０１乃至２０４での設置位置の設定を再利用可能になる。
【００３０】
図３を用いて、発明の実施の形態２に係る小型基地局１について説明する。図３で示した小型基地局１と図１で示した小型基地局１との相違は、図１の小型基地局１がカメラ３で撮影した画像を基にして小型基地局１の設置位置の設定の監視を行うのに対し、図３の小型基地局１は距離センサ１５で検出した距離を基にして小型基地局１の設置位置の設定の監視を行うことである。
【００３１】
具体的には、図３に示した小型基地局１は距離センサ１５と設置距離データ記憶部１６及び管理距離データ記憶部１７を備える。距離センサ１５は小型基地局１の周囲における壁や天井等の構造物までの距離を検出できるように小型基地局１に設置され、設置処理部６からの制御で小型基地局１の周囲における壁又は天井等の構造物までの距離を検出し、検出した距離データを記憶部９に設けられた設置距離データ記憶部１６又は管理距離データ記憶部１７に記憶する。距離センサ１５は複数個でも良い。
【００３２】
発明の実施の形態２に係る小型基地局１は、電源スイッチ２がオンされたときに距離センサ１５で検出した小型基地局１から周囲の構造物までの距離と、その後に距離センサ１５で検出した小型基地局１から周囲の構造物までの距離とを比較する。これにより、小型基地局１自身が設置位置を監視することができ、小型基地局１の設置位置に変更があると、小型基地局１は小型基地局１と携帯端末との無線通信を不能にすることができる。
【００３３】
尚、発明の実施の形態２に係る小型基地局１では、電源スイッチ２がオンからオフになると、設置処理部６が設置距離データ記憶部１６から設置距離データを消去するとともに管理距離データ記憶部１７から管理距離データを消去する。
【００３４】
図４を用いて、発明の実施の形態２に係る設置処理部６での小型基地局１の設置位置に対する設定と監視との処理について説明する。同図において、ステップ４０１で電源スイッチ２がオンされたかを判断する。ステップ４０１で電源スイッチ２がオンされていなければＮＯと判断し電源スイッチ２がオンされるまでステップ４０１に戻る。ステップ４０１で電源スイッチ２がオンされるとＹＥＳと判断しステップ４０２に進む。
【００３５】
ステップ４０２では、無線通信部７及び有線通信部８が通信可能になり、距離センサ１５が小型基地局１の設置位置から周囲の構造物までの距離を検出し、設置処理部６が前記検出された小型基地局１の設置位置から周囲の構造物までの距離を設置距離データとして設置距離データ記憶部１６に記憶してステップ４０３に進む。
【００３６】
ステップ４０３では、図示のされていない時刻部で計数された現在時刻が管理時刻データ記憶部１２に記憶された管理時刻データの中の１つの時刻と同じになったか、すなわち距離センサ１５での距離を検出する処理時刻になったかを判断する。ステップ４０３で処理時刻でなければＮＯと判断しステップ４０３に戻る。ステップ４０３で処理時刻であるとＹＥＳと判断し、ステップ４０４で距離センサ１５が小型基地局１の設置位置から周囲の構造物までの距離を検出し、その距離が管理距離データとして管理距離データ記憶部１７に記憶される。
【００３７】
そして、ステップ４０５においてステップ４０２で測定した電源スイッチ２のオンされたときの設置距離データとステップ４０４で測定した処理時刻のときの管理距離データとを比較する。
【００３８】
その結果、ステップ４０５で設置距離データと管理距離データとの差がしきい値以下であれば、設置処理部６が設置距離データと管理距離データとが一致していると判断しＹＥＳとなりステップ４０６に進む。ステップ４０６では無線通信部７が通信状態を維持されて処理を終了する。
【００３９】
また、ステップ４０５で設置距離データと管理距離データとの差がしきい値を超えているときは、設置処理部６が設置距離データと管理距離データとが一致していないと判断しＮＯとなってステップ４０７に進む。ステップ４０７では設置距離データと管理距離データとが一致していないので、小型基地局１が電源スイッチ２のオンされたときと管理時刻データの中の１つの時刻のときとで設置位置が違うことになるので、無線通信部７が通信不可能にされて処理を終了する。
【００４０】
図５を用いて、発明の実施の形態３に係る小型基地局１について説明する。図５で示した小型基地局１と図１で示した小型基地局１との相違は、図１の小型基地局１がカメラ３で撮影した画像を基にして小型基地局１の設置位置を監視したのに対し、図５の小型基地局１は加速度センサ１８で小型基地局１の移動が検出されるとカメラ３で撮影した画像を基にして小型基地局１の設置位置を監視することである。
【００４１】
具体的には、図５に示した小型基地局１は加速度センサ１８と判定値記憶部１９とを備える。判定値記憶部１９には、判定値が小型基地局１の利用者又は小型基地局１の製造者により小型基地局１が移動されたのか、あるいは、移動されていない不動なのかを判定する値として予め記憶されている。そして、電源スイッチ２がオフになった状態において、小型基地局１が設置位置に運ばれて設置され、電源スイッチ２が小型基地局１の利用者でオンされると、設置処理部６がカメラ３で撮影された小型基地局１の周囲の画像を設置画像データとして設置画像データ記憶部１０に記憶する。
【００４２】
その状態において、加速度センサ１８が加速度を検出して設置処理部６に出力し、設置処理部６が前記検出された加速度を判定値記憶部１９の判定値と比較し、加速度が判定値以上であると、設置処理部６がカメラ３を制御し、カメラ３が小型基地局１の周囲の画像を撮影する。
【００４３】
その後、設置処理部６が前記カメラ３で撮影された画像を管理画像データとして管理画像データ記憶部１１に記憶し、設置処理部６が設置画像データと管理画像データとを比較し、設置画像データと管理画像データとの差がしきい値以下であれば、設置処理部６が判定結果を通信処理部５に出力し、通信処理部５が無線通信部７を通信可能とし、又、管理画像データと設置画像データとの差がしきい値を超えていれば、設置処理部６が判定結果を通信処理部５に出力し、通信処理部５が無線通信部７を通信不能にする。
【００４４】
尚、発明の実施の形態３に係る小型基地局１では、電源スイッチ２がオンからオフになると、設置処理部６が設置画像データ記憶部１０から設置画像データを消去するとともに管理画像データ記憶部１１から管理画像データを消去する。
【００４５】
図６を用いて、発明の実施の形態３に係る設置処理部６での小型基地局１の設定位置に対する設定と監視との処理について説明する。同図において、ステップ６０１で電源スイッチ２がオンされたかを判断する。ステップ６０１で電源スイッチ２がオンされていなければＮＯと判断し電源スイッチ２がオンされるまでステップ６０２に戻る。ステップ６０１で電源がオンされるとＹＥＳと判断しステップ６０２に進む。
【００４６】
ステップ６０２では、無線通信部７及び有線通信部８が通信可能となり、カメラ３が小型基地局１の設置された周囲を撮影し、その画像が設置画像データとして設置画像データ記憶部１０に記憶されてステップ６０３に進む。
【００４７】
ステップ６０３では、加速度センサ１８で加速度が検出されたかを判断する。ステップ６０３で加速度が検出されなければＮＯと判断しステップ６０３に戻る。ステップ６０３で加速度が検出されるとＹＥＳと判断しステップ６０４に進む。
【００４８】
ステップ６０４では、加速度センサ１８で検出された加速度がしきい値以上かを判断する。ステップ６０４で加速度がしきい値より小さい場合はＮＯと判断してステップ６０３に戻る。ステップ６０４で加速度がしきい値以上の場合はＹＥＳと判断してステップ６０５に進む。ステップ６０５では、カメラ３が小型基地局１の設置位置の周囲を撮影し、その画像が管理画像データとして管理画像データ記憶部１１に記憶される。
【００４９】
そして、ステップ６０６において設置処理部６がステップ６０２で撮影した電源スイッチ２のオンされたときの設置画像データとステップ６０５で撮影した加速度が判定値以上のときの管理画像データとを比較する。
【００５０】
その結果、ステップ６０６での設置画像データと管理画像データとの差がしきい値以下であれば、設置画像データと管理画像データとが一致していると判断しＹＥＳとなりステップ６０７に進む。ステップ６０７では無線通信部７が通信可能に維持されて処理を終了する。
【００５１】
又、ステップ６０６で設置画像データと管理画像データとの差がしきい値を超えているときは設置画像データと管理画像データとが一致しないと判断しＮＯとなりステップ６０８に進む。ステップ６０８では無線通信部７が通信不能にされて処理を終了する。
【００５２】
発明の実施の形態３に係る小型基地局１では、小型基地局１の電源スイッチ２のオンしたときの設置画像データと小型基地局１が移動されたときの管理画像データとで、小型基地局１の設置位置を監視できる。
【符号の説明】
【００５３】
１    小型基地局
２    電源スイッチ
３    カメラ
４    制御部
５    通信処理部
６    設置処理部
７    無線通信部
８    有線通信部
９    記憶部
１０  設置画像データ記憶部
１１  管理画像データ記憶部
１２  管理時刻データ記憶部
１３  しきい値記憶部
１４  電源部
１５  距離センサ
１６  設置距離データ記憶部
１７  管理距離データ記憶部
１８  加速度センサ
１９  判定値記憶部
【図１】
0006549524.tif 000002
【図２】
0006549524.tif 000003
【図３】
0006549524.tif 000004
【図４】
0006549524.tif 000005
【図５】
0006549524.tif 000006
【図６】
0006549524.tif 000007
【図７】
0006549524.tif 000008